(57)【要約】【課題】備蓄品収容箱をより利用しやすいものにする。【解決手段】第１収容容器１００の容器本体１１０の上部には、備蓄品４０の取り出しに用いられる備蓄品取り出し用開口１７０が設けられている。蓋部材１２０を開くと、この備蓄品取り出し用開口１７０が現れ、第１収容容器１００内の備蓄品４０の取り出しを行える。さらに、容器本体１１０の反対側壁部５０Ｂには、備蓄品取り出し用開口１７０とは別に設けられた容器取り出し用開口１８０が設けられている。第２収容容器２００は、この容器取り出し用開口１８０を通じて取り出される。【選択図】図３
2019018919.tif 000002
【特許請求の範囲】
【請求項１】
内部空間を複数の空間に仕切る仕切りを有し、災害用の備蓄品を収容する第１の収容容器と、
前記第１の収容容器内に収容されるとともに、前記仕切りにより形成された複数の空間のうちの一部の空間内に収容され、災害用の備蓄品を収容する第２の収容容器と、
を備え、
備蓄品の消費期限に基づき備蓄品が少なくとも二つの群に分けられており、一方の群の備蓄品が前記第１の収容容器に収容され、他方の群の備蓄品が前記第２の収容容器に収容されている備蓄品収容容器。
【請求項２】
前記第１の収容容器には、当該第１の収容容器内の備蓄品の取り出しに用いられる備蓄品取り出し用開口とは別に、前記第２の収容容器の取り出しに用いられる容器取り出し用開口が設けられている請求項１に記載の備蓄品収容容器。
【請求項３】
前記第１の収容容器は、互いに対向し間隙をおいて配置された一対の壁部を有し、
前記一対の壁部を構成する一方の壁部に、前記容器取り出し用開口が設けられ、
前記第１の収容容器に収容されている前記第２の収容容器と、他方の壁部との間に、当該第１の収容容器内の備蓄品を収容する空間が形成されている請求項２に記載の備蓄品収容容器。
【請求項４】
前記第１の収容容器には、前記備蓄品取り出し用開口を塞ぐ蓋部材が更に設けられ、
前記蓋部材が閉じられている状態では、前記容器取り出し用開口の対向箇所に当該蓋部材が位置する請求項２に記載の備蓄品収容容器。
【請求項５】
前記第１の収容容器には、前記備蓄品取り出し用開口を塞ぐ蓋部材が更に設けられ、
前記容器取り出し用開口は、前記蓋部材により覆われない箇所に設けられ、当該蓋部材を開けずに前記第２の収容容器を取り出せるように構成された請求項２に記載の備蓄品収容容器。
【請求項６】
前記第１の収容容器は、第１の内壁部と、当該第１の内壁部に対向する第２の内壁部とを備え、
前記第２の収容容器は、前記第１の内壁部と前記第２の内壁部との間に配置され、
前記第１の内壁部と前記第２の収容容器との間、および、前記第２の内壁部と当該第２の収容容器との間の両者に、水を収容した水収容容器が収容されている請求項１に記載の備蓄品収容容器。
【請求項７】
前記第１の収容容器が有する前記複数の空間のうち、前記第２の収容容器が収容されている空間とは異なる空間には、消費期限の記載の有る備蓄品が収容され、
前記第２の収容容器には、消費期限の記載の無い備蓄品が収容されている請求項１に記載の備蓄品収容容器。
【請求項８】
災害用の備蓄品を収容するとともに、当該備蓄品の取り出しに用いられる第１の開口と、当該第１の開口とは別に設けられた第２の開口とを備える第１の収容容器と、
前記第１の収容容器内に収められ、災害用の備蓄品を収容し、当該第１の収容容器の前記第２の開口を通じて当該第１の収容容器から取り出される第２の収容容器と、
を備える備蓄品収容容器。
【請求項９】
開閉可能に設けられ、前記第１の収容容器の前記第２の開口を塞ぐ塞ぎ部材を更に備える請求項８に記載の備蓄品収容容器。
【請求項１０】
前記第２の開口を通じて前記第２の収容容器を取り出した後の空間であって、取り出す前の当該第２の収容容器が占めていた当該空間への備蓄品の移動を規制する規制部が設けられている請求項８に記載の備蓄品収容容器。
【請求項１１】
前記第２の開口は、複数形成され、前記第１の収容容器の複数箇所から前記第２の収容容器を取り出せるように構成された請求項８に記載の備蓄品収容容器。
【請求項１２】
直方体状に形成され、互いに対向するＡ４サイズの一対の側面を有する第１の収容容器と、
前記Ａ４サイズの前記一対の側面の一方の側面側から見た場合に互いに離れた関係にある２本の水収容容器を少なくとも含み、前記第１の収容容器に収容された災害用の備蓄品と、
前記第１の収容容器内に収容されるとともに、前記２本の水収容容器の間に配置され、災害用の備蓄品を収容した第２の収容容器と、
を備える備蓄品収容容器。
【請求項１３】
前記２本の水収容容器の一方の水収容容器は、前記第１の収容容器が有する他の一対の側面に含まれる一方の側面側に配置され、他方の水収容容器は、当該他の一対の側面に含まれる他方の側面側に配置されている請求項１２に記載の備蓄品収容容器。
【請求項１４】
災害用の備蓄品を収容する容器本体と、
前記容器本体の内部空間を、前記備蓄品を収容する備蓄品用収容空間と、災害用の備蓄品を収容した容器が収容される容器用収容空間とに仕切る仕切りと、
を備える収容容器。
【請求項１５】
災害用の備蓄品を収容する容器本体と、
前記容器本体に収容された前記備蓄品の取り出しに用いられる第１の開口と、
災害用の備蓄品を収容した容器の前記容器本体への収容および当該容器本体からの当該容器の取り出しに用いられる第２の開口と、
を備える収容容器。
【請求項１６】
直方体状に形成され、互いに対向するＡ４サイズの一対の側面を有する容器本体と、
前記Ａ４サイズの前記一対の側面の一方の側面側から見た場合に互いに離れた関係にある２本の水収容容器を少なくとも含み、前記容器本体に収容された災害用の備蓄品と、
前記２本の水収容容器の間に位置し、災害用の備蓄品を収容した容器が収容される収容空間と、
を備える収容容器。
【発明の詳細な説明】
【技術分野】
【０００１】
本発明は、備蓄品収容容器および収容容器に関する。
【背景技術】
【０００２】
特許文献１には、蓋付き容器の内部を少なくとも２つの収容区画に分け、一の区画に一般的防災用品を収容すると共に、他の区画に患者専用の避難用品を収容し、この容器を患者のベッド周辺などに配置する構成が開示されている。
【先行技術文献】
【特許文献】
【０００３】
【特許文献１】特開２００５−２８７８４８号公報
【発明の概要】
【発明が解決しようとする課題】
【０００４】
災害用の備蓄品を収容した備蓄品収容容器では、複数種類の備蓄品が収容されることが多く、このように、複数種類の備蓄品を一つの収容容器にそのまま収容すると、複数種類の備蓄品が混在した状態となり、備蓄品収容容器を利用しにくくなる。
本発明の目的は、備蓄品収容箱をより利用しやすいものにすることにある。
【課題を解決するための手段】
【０００５】
請求項１に記載の発明は、内部空間を複数の空間に仕切る仕切りを有し、災害用の備蓄品を収容する第１の収容容器と、前記第１の収容容器内に収容されるとともに、前記仕切りにより形成された複数の空間のうちの一部の空間内に収容され、災害用の備蓄品を収容する第２の収容容器と、を備え、備蓄品の消費期限に基づき備蓄品が少なくとも二つの群に分けられており、一方の群の備蓄品が前記第１の収容容器に収容され、他方の群の備蓄品が前記第２の収容容器に収容されている備蓄品収容容器である。
請求項２に記載の発明は、前記第１の収容容器には、当該第１の収容容器内の備蓄品の取り出しに用いられる備蓄品取り出し用開口とは別に、前記第２の収容容器の取り出しに用いられる容器取り出し用開口が設けられている請求項１に記載の備蓄品収容容器である。
請求項３に記載の発明は、前記第１の収容容器は、互いに対向し間隙をおいて配置された一対の壁部を有し、前記一対の壁部を構成する一方の壁部に、前記容器取り出し用開口が設けられ、前記第１の収容容器に収容されている前記第２の収容容器と、他方の壁部との間に、当該第１の収容容器内の備蓄品を収容する空間が形成されている請求項２に記載の備蓄品収容容器である。
請求項４に記載の発明は、前記第１の収容容器には、前記備蓄品取り出し用開口を塞ぐ蓋部材が更に設けられ、前記蓋部材が閉じられている状態では、前記容器取り出し用開口の対向箇所に当該蓋部材が位置する請求項２に記載の備蓄品収容容器である。
請求項５に記載の発明は、前記第１の収容容器には、前記備蓄品取り出し用開口を塞ぐ蓋部材が更に設けられ、前記容器取り出し用開口は、前記蓋部材により覆われない箇所に設けられ、当該蓋部材を開けずに前記第２の収容容器を取り出せるように構成された請求項２に記載の備蓄品収容容器である。
請求項６に記載の発明は、前記第１の収容容器は、第１の内壁部と、当該第１の内壁部に対向する第２の内壁部とを備え、前記第２の収容容器は、前記第１の内壁部と前記第２の内壁部との間に配置され、前記第１の内壁部と前記第２の収容容器との間、および、前記第２の内壁部と当該第２の収容容器との間の両者に、水を収容した水収容容器が収容されている請求項１に記載の備蓄品収容容器である。
請求項７に記載の発明は、前記第１の収容容器が有する前記複数の空間のうち、前記第２の収容容器が収容されている空間とは異なる空間には、消費期限の記載の有る備蓄品が収容され、前記第２の収容容器には、消費期限の記載の無い備蓄品が収容されている請求項１に記載の備蓄品収容容器である。
請求項８に記載の発明は、災害用の備蓄品を収容するとともに、当該備蓄品の取り出しに用いられる第１の開口と、当該第１の開口とは別に設けられた第２の開口とを備える第１の収容容器と、前記第１の収容容器内に収められ、災害用の備蓄品を収容し、当該第１の収容容器の前記第２の開口を通じて当該第１の収容容器から取り出される第２の収容容器と、を備える備蓄品収容容器である。
請求項９に記載の発明は、開閉可能に設けられ、前記第１の収容容器の前記第２の開口を塞ぐ塞ぎ部材を更に備える請求項８に記載の備蓄品収容容器である。
請求項１０に記載の発明は、前記第２の開口を通じて前記第２の収容容器を取り出した後の空間であって、取り出す前の当該第２の収容容器が占めていた当該空間への備蓄品の移動を規制する規制部が設けられている請求項８に記載の備蓄品収容容器である。
請求項１１に記載の発明は、前記第２の開口は、複数形成され、前記第１の収容容器の複数箇所から前記第２の収容容器を取り出せるように構成された請求項８に記載の備蓄品収容容器である。
請求項１２に記載の発明は、直方体状に形成され、互いに対向するＡ４サイズの一対の側面を有する第１の収容容器と、前記Ａ４サイズの前記一対の側面の一方の側面側から見た場合に互いに離れた関係にある２本の水収容容器を少なくとも含み、前記第１の収容容器に収容された災害用の備蓄品と、前記第１の収容容器内に収容されるとともに、前記２本の水収容容器の間に配置され、災害用の備蓄品を収容した第２の収容容器と、を備える備蓄品収容容器である。
請求項１３に記載の発明は、前記２本の水収容容器の一方の水収容容器は、前記第１の収容容器が有する他の一対の側面に含まれる一方の側面側に配置され、他方の水収容容器は、当該他の一対の側面に含まれる他方の側面側に配置されている請求項１２に記載の備蓄品収容容器である。
請求項１４に記載の発明は、災害用の備蓄品を収容する容器本体と、前記容器本体の内部空間を、前記備蓄品を収容する備蓄品用収容空間と、災害用の備蓄品を収容した容器が収容される容器用収容空間とに仕切る仕切りと、を備える収容容器である。
請求項１５に記載の発明は、災害用の備蓄品を収容する容器本体と、前記容器本体に収容された前記備蓄品の取り出しに用いられる第１の開口と、災害用の備蓄品を収容した容器の前記容器本体への収容および当該容器本体からの当該容器の取り出しに用いられる第２の開口と、を備える収容容器である。
請求項１６に記載の発明は、直方体状に形成され、互いに対向するＡ４サイズの一対の側面を有する容器本体と、前記Ａ４サイズの前記一対の側面の一方の側面側から見た場合に互いに離れた関係にある２本の水収容容器を少なくとも含み、前記容器本体に収容された災害用の備蓄品と、前記２本の水収容容器の間に位置し、災害用の備蓄品を収容した容器が収容される収容空間と、を備える収容容器である。
【発明の効果】
【０００６】
本発明によれば、備蓄品収容箱をより利用しやすいものにすることができる。
【図面の簡単な説明】
【０００７】
【図１】備蓄品収容容器を示した図である。
【図２】反対側壁部側から備蓄品収容容器を眺めた場合の図である。
【図３】蓋部材を開いた状態を示した図である。
【図４】第１収容容器の容器本体の拡大図である。
【図５】図４の矢印Ｖ方向から、容器本体の反対側壁部等を眺めた場合の図である。
【図６】第１収容容器から第２収容容器を取り出した後の状態を示した図である。
【図７】仕切り部材を説明する図である。
【図８】第２収容容器に収容された備蓄品を示した図である。
【図９】備蓄品収容容器の他の構成例を示した図である。
【図１０】備蓄品収容容器の他の構成例を示した図である。
【図１１】備蓄品収容容器の他の構成例を示した図である。
【発明を実施するための形態】
【０００８】
以下、添付図面を参照して、本発明の実施の形態について説明する。
図１は、本実施形態の備蓄品収容容器を示した図である。
本実施形態の備蓄品収容容器１は、２つの収容容器により構成されている。
具体的には、本実施形態の備蓄品収容容器１は、直方体状に形成された第１収容容器１００と、この第１収容容器１００内に収容され第１収容容器１００よりも小さい第２収容容器２００とにより構成されている。
【０００９】
さらに、本実施形態の備蓄品収容容器１では、第１収容容器１００内に、水（飲料水）を収容した水収容容器３００が収容されている。
第１収容容器１００には、この水収容容器３００が２本収容されている。この２本の水収容容器３００のうちの一方の水収容容器３００は、第２収容容器２００よりも上方に配置され、他方の水収容容器３００は、第２収容容器２００よりも下方に配置されている。
【００１０】
第１収容容器１００は、直方体状に形成され、６個の板状且つ矩形状に形成された壁部１０を有する。
具体的には、第１収容容器１００は、背表紙側壁部１０Ａ、背表紙側壁部１０Ａとは反対側に位置する反対側壁部１０Ｂ、上側壁部１０Ｃ、下側壁部１０Ｄ、右側壁部１０Ｅ、左側壁部１０Ｆを有する。
【００１１】
さらに、第１収容容器１００は、外表面に、６個の側面２０を有する。
具体的には、第１収容容器１００は、背表紙側側面２０Ａ、反対側側面２０Ｂ、上側側面２０Ｃ、および、下側側面２０Ｄを備える。さらに、第１収容容器１００は、互いに対向する一対の側面である、右側面２０Ｅおよび左側面２０Ｆを有する。ここで、この右側面２０Ｅおよび左側面２０Ｆの各々のサイズは、Ａ４サイズとなっている。
【００１２】
図２は、備蓄品収容容器１を寝かした状態で、反対側壁部１０Ｂ（反対側側面２０Ｂ）側から備蓄品収容容器１を眺めた場合の図である。図３は、蓋部材１２０を開いた状態を示した図である。
図３に示すように、本実施形態の第１収容容器１００は、容器本体１１０と、容器本体１１０の上部に位置する開口（備蓄品取り出し用開口１７０）を塞ぐ蓋部材１２０とにより構成されている。
本実施形態では、図２に示すように、蓋部材１２０を図中矢印２Ａに示す方向へ移動させて、この蓋部材１２０を開くことで、第１収容容器１００からの備蓄品４０の取り出し、第１収容容器１００への備蓄品４０の収容を行える。
【００１３】
図３に示すように、本実施形態の蓋部材１２０は、背表紙側壁部１０Ａに接続しており、背表紙側壁部１０Ａに接続する箇所を中心として回転する。
第１収容容器１００の内部には、災害用の備蓄品４０が複数収容されており、本実施形態では、蓋部材１２０を開くことで、備蓄品４０の取り出しを行える。
第１収容容器１００には、災害用の備蓄品４０として、上述した水収容容器３００（図１参照）の他に、照明器具（照明用ライト）４０Ａ、食料品４０Ｂなどが収容されている。
【００１４】
図３に示すように、容器本体１１０は、直方体状に形成され、背表紙側壁部５０Ａ、反対側壁部５０Ｂ、背表紙側壁部５０Ａと反対側壁部５０Ｂとを接続する第１接続壁部５０Ｃ、第２接続壁部５０Ｄとを備える。第１接続壁部５０Ｃと第２接続壁部５０Ｄとは、互いに対向する関係で配置されている。
さらに、容器本体１１０は、備蓄品４０を下方から支持する底面（不図示）を備える。ここで、この底面は、第１収容容器１００の左側壁部１０Ｆ（図１参照）により構成される。
【００１５】
さらに、図３に示すように、第１収容容器１００の容器本体１１０の上部には、備蓄品４０の取り出しに用いられる第１の開口の一例としての備蓄品取り出し用開口１７０が設けられている。
本実施形態では、蓋部材１２０を開くことで、この備蓄品取り出し用開口１７０が現れるようになり、第１収容容器１００内の備蓄品４０の取り出しを行える。
【００１６】
さらに、本実施形態では、容器本体１１０の反対側壁部５０Ｂに、備蓄品取り出し用開口１７０とは別に設けられた容器取り出し用開口１８０が設けられている。
第２の開口の一例としてのこの容器取り出し用開口１８０は、第２収容容器２００の取り出しのために設けられ、本実施形態では、この容器取り出し用開口１８０を通じて、第２収容容器２００が取り出される。
【００１７】
第１収容容器１００に対して、第２収容容器２００を収容する構成では、この第２収容容器２００と、第１収容容器１００内の備蓄品４０とが混在する状態となり、第２収容容器２００を取り出しにくくなるおそれがある。より具体的には、第２収容容器２００が埋もれてしまい、第２収容容器２００を取り出しにくくなるおそれがある。
【００１８】
この場合、例えば、備蓄品４０を一旦取り出したうえで、第２収容容器２００を取り出すなどの作業が必要となる。
これに対し、本実施形態では、第２収容容器２００の取り出しのための専用の開口である、容器取り出し用開口１８０が設けられており、第１収容容器１００から備蓄品４０を取り出さずに、第２収容容器２００を取り出せる。
【００１９】
さらに、本実施形態では、開閉可能に設けられ、容器取り出し用開口１８０を塞ぐ塞ぎ部材１８１が設けられている。第２収容容器２００が取り出される前は、容器取り出し用開口１８０は、この塞ぎ部材１８１により塞がれている。
第２収容容器２００が取り出される際には、ユーザによりこの塞ぎ部材１８１が操作されて、塞ぎ部材１８１は回転し、塞ぎ部材１８１が開かれる。その後、容器取り出し用開口１８０を通じて、第２収容容器２００が取り出される。
【００２０】
本実施形態では、蓋部材１２０が閉じられている状態においては、図２に示すように、容器取り出し用開口１８０の対向箇所に蓋部材１２０が位置するようになる。
これにより、容器取り出し用開口１８０を通じて、第１収容容器１００内に、ほこりなどの異物が侵入することが抑制される。さらに、本実施形態では、塞ぎ部材１８１（図３参照）も設けられており、これにより、第１収容容器１００内への異物の進入がさらに起きにくくなる。
【００２１】
図４は、第１収容容器１００の容器本体１１０の拡大図である。なお、この図４では、第１収容容器１００内の備蓄品４０うち、水収容容器３００以外の備蓄品４０の図示を省略している。
本実施形態では、第１収容容器１００内に、第１収容容器１００の内部空間を複数の空間に仕切る仕切り部材５００が設けられている。
【００２２】
本実施形態では、仕切り部材５００よりも図中上方に位置する空間が、備蓄品４０を収容する空間（備蓄品用収容空間）となっている。また、仕切り部材５００の左右に位置する空間（水収容容器３００が収容されている空間）も、備蓄品４０を収容する空間となっている。
【００２３】
また、本実施形態では、仕切り部材５００よりも図中下方に位置する空間が、第２収容容器２００を収容する空間（容器用収容空間）となっている。
さらに、本実施形態では、容器本体１１０の反対側壁部１０Ｂの表面に、第１収容容器１００を交換した日を記入するための日付記入欄４Ａが設けられている。なお、第１収容容器１００の交換については、後述する。
【００２４】
図４に示すように、第１収容容器１００の容器本体１１０は、第１接続壁部５０Ｃの内側の部分に、第１の内壁部１１０Ａを有し、また、第２接続壁部５０Ｄの内側の部分に、第２の内壁部１１０Ｂを有する。
ここで、第１の内壁部１１０Ａと第２の内壁部１１０Ｂとは、互いに対向する関係で配置されている。さらに、本実施形態では、第２収容容器２００は、この第１の内壁部１１０Ａと第２の内壁部１１０Ｂとの間に配置されている。また、第１の内壁部１１０Ａと第２収容容器２００との間、および、第２の内壁部１１０Ｂと第２収容容器２００との間の両者に、水収容容器３００が収容されている。
【００２５】
ここで、例えば、２本の水収容容器３００が接近した状態で配置され、さらに、この２本の水収容容器３００が、第１の内壁部１１０Ａおよび第２の内壁部１１０Ｂの何れかに寄せられて配置されていると、備蓄品収容容器１の重心が偏るようになり、備蓄品収容容器１を取り扱いにくくなるおそれある。
これに対し、本実施形態のように、２本の水収容容器３００の間に第２収容容器２００を配置し、この２本の水収容容器３００を互いに離れた関係で配置すると、備蓄品収容容器１の重心の偏りが起きにくくなる。
【００２６】
さらに、図４に示すように、本実施形態では、第２収容容器２００の図中手前側に位置する壁部に、ユーザが指を入れるための開口２１０が形成されている。
ユーザは、第２収容容器２００を第１収容容器１００から取り出す際、この開口２１０を通じて、第２収容容器２００の内部に、例えば中指を入れる。そして、この中指を、第２収容容器２００の内側から第２収容容器２００の内壁部に引っ掛ける。これにより、第２収容容器２００の取り出し（引き出しを）を行いやすくなる。
さらに、本実施形態では、容器本体１１０の反対側壁部１０Ｂであって、容器取り出し用開口１８０の上の部分に、容器取り出し用開口１８０に接続され容器取り出し用開口１８０側が開放された切り欠き１８２が形成されている。
【００２７】
図５は、図４の矢印Ｖ方向から、容器本体１１０の反対側壁部１０Ｂ等を眺めた場合の図である。
上記のとおり、容器本体１１０の反対側壁部１０Ｂには、容器取り出し用開口１８０側が開放された切り欠き１８２（以下、「本体切り欠き１８２」と称する）が形成されている。
さらに、本実施形態では、仕切り部材５００の縁部にも切り欠き１８４（以下、「仕切り切り欠き１８４」と称する）が形成されている。
【００２８】
より具体的には、仕切り部材５００が有する複数の縁部のうち、容器本体１１０の反対側壁部１０Ｂ側に位置する縁部５１０に、仕切り切り欠き１８４が形成されている。
この仕切り切り欠き１８４は、容器本体１１０の本体切り欠き１８２の対向位置に配置されている。
【００２９】
第１収容容器１００からの第２収容容器２００の取り出しにあたっては、例えば、ユーザの右手の中指が、第２収容容器２００の開口２１０（図４参照）を通じて第２収容容器２００内に入れられる。また、例えば、ユーザの右手の親指が、本体切り欠き１８２（図５参照）を通じて、第１収容容器１００内に入れられ、さらに、仕切り切り欠き１８４を通じて、第２収容容器２００の上面に押し付けられる。
これにより、ユーザは、右手の中指と親指とで、第２収容容器２００を挟んだ状態となり、第２収容容器２００の取り出しを行いやすくなる。
【００３０】
図６は、第１収容容器１００から第２収容容器２００を取り出した後の状態を示した図である。
本実施形態では、第１収容容器１００から第２収容容器２００を取り出すと、取り出す前に第２収容容器２００が位置していた箇所が空洞となる。
言い換えると、本実施形態では、取り出す前に第２収容容器２００が占めていた空間の周囲に、規制部の一例としての仕切り部材５００が位置しており、第２収容容器２００を取り出すと、仕切り部材５００により囲まれた空間が空洞となる。
【００３１】
本実施形態では、仕切り部材５００があるため、第２収容容器２００を取り出した場合でも、第１収容容器１００内の備蓄品４０（図３も参照）の移動が規制され、第２収容容器２００が占めていた空間への備蓄品４０の移動が規制される。これにより、第２収容容器２００が占めていた箇所は、空洞となる。
付言すると、本実施形態では、第２収容容器２００を取り出した後の空間であって、取り出す前の第２収容容器２００が占めていた空間へ、備蓄品４０が入り込むことが抑制され、第２収容容器２００が占めていた箇所は、空洞となる。
【００３２】
これにより、例えば、第２収容容器２００を第１収容容器１００内へ再び収容しようする場合に、第２収容容器２００の収容先に備蓄品４０が無い状態となり、第１収容容器１００内への第２収容容器２００の収容を行いやすくなる。
また、本実施形態では、後述するように、第１収容容器１００のみを新たな第１収容容器１００に交換したうえで、この第１収容容器１００へ、第２収容容器２００を収容する場合があり、この場合も、第２収容容器２００の収容先が空洞となっており、第２収容容器２００の収容作業が行いやすくなる。
【００３３】
ここで、図６を参照して、第２収容容器２００について説明する。
第２収容容器２００は、第１収容容器１００と同様に直方体状に形成されている。
また、第２収容容器２００は、第１収容容器１００と同様、容器本体２４０と、この容器本体２４０の上部に位置する開口を塞ぐ蓋部材２５０とを備える。
【００３４】
図７は、仕切り部材５００を説明する図である。
本実施形態では、仕切り部材５００は、第１収容容器１００とは別部材となっており、図７に示すように、図中上方へ仕切り部材５００を持ち上げることで、第１収容容器１００から、仕切り部材５００を取り出せるようになる。
【００３５】
仕切り部材５００は、板状の基材に対して曲げ加工を行うことにより形成されている。
仕切り部材５００には、容器本体１１０の底面５０Ｇに対して接触配置される板状の一対の接触部（第１接触部５３０、第２接触部５４０）が設けられている。
さらに、仕切り部材５００には、容器本体１１０の底面５０Ｇに対向して配置される対向部５５０が設けられている。
【００３６】
対向部５５０は、第１接触部５３０と第２接触部５４０との間に配置されるとともに、容器本体１１０の底面５０Ｇとの間に間隙を有した状態で配置される。
さらに、仕切り部材５００には、対向部５５０と第１接触部５３０とを接続する第１接続部５６０、対向部５５０と第２接触部５４０とを接続する第２接続部５７０とが設けられている。
【００３７】
仕切り部材５００のうち、第１接続部５６０、対向部５５０、第２接続部５７０が設けられている箇所は、その断面形状がコの字状となっており、本実施形態では、このコの字状となっている箇所の内側に、第２収容容器２００（図７では不図示）が収容される。
言い換えると、本実施形態では、第１接続部５６０、対向部５５０、第２接続部５７０、容器本体１１０の底面５０Ｇとにより囲まれた箇所に、第２収容容器２００が収容される。
【００３８】
図８は、第２収容容器２００に収容された備蓄品４０を示した図である。
第２収容容器２００には、食品以外の備蓄品４０が収容されている。具体的には、第２収容容器２００には、作業用の手袋や、ごみ袋などの袋状部材が収容されている。
また、第２収容容器２００には、消費期限の記載の無い備蓄品４０が収容されている。言い換えると、第２収容容器２００には、消費期限の定めの無い備蓄品４０が収容されている。
【００３９】
一方、第１収容容器１００（図３参照）には（第１収容容器１００が有する複数の空間のうち、第２収容容器２００が収容されている空間とは異なる空間には）、照明器具４０Ａ、食料品４０Ｂ、水収容容器３００などが収容されている。
付言すると、第１収容容器１００には、消費期限の記載の有る備蓄品４０が収容されている。言い換えると、第１収容容器１００には、消費期限の定めの有る備蓄品４０が収容されている。
なお、消費期限の記載の有る備蓄品４０は、食料品４０Ｂだけに限られない。照明器具４０Ａなどにも消費期限が有る。
【００４０】
本実施形態では、備蓄品４０の消費期限に基づき、備蓄品４０が少なくとも二つの群に分けられており、一方の群の備蓄品４０が、第１収容容器１００に収容され、他方の群の備蓄品４０が、第２収容容器２００に収容されている。
より具体的には、消費期限の記載のある備蓄品４０が、第１収容容器１００に収容され、消費期限の記載の無い備蓄品４０が、第２収容容器２００に収容されている。
【００４１】
そして、本実施形態では、例えば、第１収容容器１００内の備蓄品４０の何れかが消費期限を超えた場合（最も早く消費期限を迎える備蓄品４０が消費期限を超えた場合）などに、ユーザにより、第１収容容器１００の交換が行われる。
【００４２】
具体的には、第１収容容器１００の交換にあたっては、まず、第２収容容器２００が取り出される。そして、第１収容容器１００が、新しい第１収容容器１００（消費期限がより先にある備蓄品４０が収容された第１収容容器１００）に交換される。
そして、この新しい第１収容容器１００の容器取り出し用開口１８０を通じて、取り出した状態にある第２収容容器２００を、この新しい第１収容容器１００に収容する。これにより、新たな備蓄品収容容器１が生成される。
【００４３】
なお、本実施形態では、消費期限の有無に応じて、備蓄品４０の収容先を異ならせたが、消費期限の有無に限らず、消費期限の長短に応じて、備蓄品４０の収容先を異ならせてもよい。
具体的には、例えば、消費期限の長い備蓄品群を第２収容容器２００に収容し、消費期限が短い備蓄品群を第１収容容器１００に収容するようにしてもよい。
【００４４】
また、備蓄品４０の収容先は、３つ以上としてもよく、例えば、備蓄品４０を、備蓄品４０の消費期限に基づき３つの群に分け、例えば、消費期限の記載が無い備蓄品群を第３収容容器（不図示）に収容するようにし、消費期限の長い備蓄品群を第２収容容器２００に収容し、消費期限が短い備蓄品群を第１収容容器１００に収容するようにしてもよい。
【００４５】
ここで、備蓄品４０の収容先が、消費期限に基づき分けられておらず、備蓄品４０が混在した状態で１つの備蓄品収容容器１に収容されていると、備蓄品収容容器１の廃棄に結びつきやすい。
具体的には、消費期限を有する備蓄品４０が収容されていると、消費期限の有無などに基づき、備蓄品４０の選別作業を行う必要が生じるが、備蓄品４０が混在した状態で収容されているとこの選別作業に手間を要するようになる。
【００４６】
この場合、この手間を要する選別作業を避けるために、備蓄品収容容器１の全体が廃棄されて新たな備蓄品収容容器１が購入されたり、備蓄品収容容器１が古いままの状態でそのまま継続して利用されたりする可能性がある。
これに対し、本実施形態のように、消費期限の有無等に応じて、備蓄品４０の収容先が異なっていると、上記選別作業がより簡易なものになり、備蓄品収容容器１の不必要な廃棄や、備蓄品収容容器１が古いままの状態で利用されることが起きにくくなる。
【００４７】
ここで、本実施形態では、図１の符号１Ａで示すように、第１収容容器１００の背表紙側側面２０Ａに、第１収容容器１００に収容されている備蓄品４０の各々の消費期限（賞味期限）が記載され、本実施形態では、第１収容容器１００を開けないでも、第１収容容器１００に収容されている備蓄品４０の各々の消費期限を把握できるようになる。
【００４８】
さらに、本実施形態では、図１の符号１Ｂで示すように、第１収容容器１００の背表紙側側面２０Ａに、第１収容容器１００の交換時期を示す「品質保証期限」が記載されている。
この品質保証期限は、第１収容容器１００に収容されている備蓄品４０の各々の消費期限により特定される年月のちの、時間的に最も早く迎える年月と同じ年月となっている。
【００４９】
なお、上記にて説明した構成例では、消費期限に基づき、備蓄品４０の収容先を異ならせたが、備蓄品４０の収容先は、消費期限に基づかずに決めてもよい。
例えば、ユーザが希望する分類方法で、備蓄品４０の収容先を決めるようにしてもよい。
言い換えると、本実施形態の備蓄品収容容器１は、カスタイズできるようになっており、ユーザの希望に応じ、ユーザ自身が、各収容容器に収容する備蓄品４０を決めてもよい。
【００５０】
例えば、第１収容容器１００、第２収容容器２００の何れか一方の収容容器に、帰宅用用品（会社から自宅へ徒歩等で帰宅する際に用いる装備）を入れ、他方の収容容器に、食品などを入れるようにしてもよい。
また、例えば、第１収容容器１００、第２収容容器２００の何れか一方の収容容器に、救護用品を入れ、他方の収容容器に、食品などを入れるようにしてもよい。
また、上記では、第１収容容器１００を、新たな第１収容容器１００に交換する場合を一例に説明したが、第２収容容器２００を、新たな第２収容容器２００に交換するようにしてもよい。
【００５１】
ここで、図１を再び参照し、備蓄品収容容器１についてさらに説明する。
図１では、Ａ４サイズの一対の側面の一方の側面（図中手前側に位置する右側面２０Ｅ）側から２本の水収容容器３００等を見た場合の２本の水収容容器３００等の関係を示している。
図１に示すこの状態では、この２本の水収容容器３００は、互いに離れた関係にある。さらに、本実施形態では、上記のとおり、この２本の水収容容器３００の間に、第２収容容器２００が配置されている。
【００５２】
また、本実施形態では、上記一対の側面である右側面２０Ｅ、左側面２０Ｆの他に、互いに対向する関係の他の一対の側面が、２組設けられている。
具体的には、１組目の他の一対の側面として、上側側面２０Ｃ、下側側面２０Ｄが設けられている。また、２組目の他の一対の側面として、背表紙側側面２０Ａ、反対側側面２０Ｂが設けられている。
【００５３】
そして、本実施形態では、２本の水収容容器３００のうちの一方の水収容容器３００は、上記他の一対の側面（上記１組目の他の一対の側面）に含まれる一方の側面側に寄せられて配置され、他方の水収容容器３００は、この他の一対の側面に含まれる他方の側面側に寄せられて配置されている。
具体的には、一方の水収容容器３００は、上側側面２０Ｃ側に寄せられて配置され、他方の水収容容器３００は、下側側面２０Ｄ側に寄せられて配置されている。
【００５４】
ここで、例えば、２本の水収容容器３００が接近した状態で配置され、さらに、この２本の水収容容器３００の両者が、例えば、上側側面２０Ｃ側に寄せられて配置されていると、備蓄品収容容器１の重心が偏るようになり、備蓄品収容容器１を取り扱いにくくなるおそれある。
【００５５】
これに対し、本実施形態のように、２つある側面（上側側面２０Ｃ、下側側面２０Ｄ）のそれぞれに水収容容器３００を寄せて配置すると、備蓄品収容容器１の重心の偏りが起きにくくなる。
なお、ここでは、上側側面２０Ｃ、下側側面２０Ｄのそれぞれに備蓄品収容容器１を寄せる場合を説明したが、背表紙側側面２０Ａ側に一方の水収容容器３００を寄せ、反対側側面２０Ｂ側に、他方の水収容容器３００を寄せてもよい。
【００５６】
また、本実施形態では、上記のとおり互いに対向する関係にある、右側面２０Ｅおよび左側面２０Ｆのサイズが、Ａ４サイズとなっている。
これにより、本棚や、ユーザの机の引き出しなどに、備蓄品収容容器１を収容しやすくなる。ここで、例えば、Ａ４サイズを超えるサイズなど、Ａ４以外のサイズの場合、備蓄品収容容器１の収容性が低下する。
【００５７】
備蓄品収容容器１の収容性が低下すると、ユーザがアクセスしにくい箇所に、備蓄品収容容器１が収容される可能性が高まり、備蓄品収容容器１を利用しにくくなる。
本実施形態のように、Ａ４サイズとすることで、ユーザがアクセスしやすい箇所に備蓄品収容容器１が収容される可能性が高まり、備蓄品収容容器１をより利用しやすくなる。
【００５８】
（その他）
上記では、容器取り出し用開口１８０を１つだけ形成した場合を説明したが、容器取り出し用開口１８０は、複数形成し、第１収容容器１００の複数箇所から、第２収容容器２００を取り出せるようにしてもよい。
【００５９】
具体的には、例えば、図９（備蓄品収容容器１の他の構成例を示した図）に示すように、背表紙側側面２０Ａにも容器取り出し用開口１８５を形成し、２箇所から、第２収容容器２００を取り出せるようにしてもよい。
より具体的には、反対側側面２０Ｂ側に形成された容器取り出し用開口１８０の他に、背表紙側側面２０Ａにも容器取り出し用開口１８５を形成すれば、第１収容容器１００の複数箇所から、第２収容容器２００を取り出せるようなる。
【００６０】
なお、この図９に示す例では、図３にて示した塞ぎ部材１８１と同様、背表紙側側面２０Ａに形成した容器取り出し用開口１８５を塞ぐ塞ぎ部材１８９が設けられている。ここで、この図９に示す例では、塞ぎ部材１８９の全周に亘ってミシン目が形成されており、塞ぎ部材１８９を開けると、符号９Ａで示すように、第１収容容器１００から塞ぎ部材１８９が分離する。
このように、塞ぎ部材１８９が分離する場合、第１収容容器１００に対し、容器取り出し用開口１８５（塞ぎ部材１８９が分離した後の容器取り出し用開口１８５）を通じて第２収容容器２００を収容した場合に、備蓄品収容容器１の外部から、第２収容容器２００の存在がより明確に分かるようになる。塞ぎ部材１８９が分離しない場合、第２収容容器２００がこの塞ぎ部材１８９の背後に隠れてしまい、第２収容容器２００の存在が分かりにくくなる。
また、図９に示すこの構成例では、塞ぎ部材１８９の外表面の色と、蓋部材１２０の外表面の色（蓋部材１２０のうち、塞ぎ部材１８９が設けられている箇所以外に位置する部位の色）とを異ならせている。これにより、容器取り出し用開口１８５が存在していることを、ユーザに対してより明確に伝えられるようになる。
【００６１】
また、例えば、図１０（備蓄品収容容器１の他の構成例を示した図）に示すように、容器取り出し用開口１８０が、蓋部材１２０により覆われない構成としてもよい。
この構成例では、蓋部材１２０を小さくし、蓋部材１２０を閉じた状態のとき、容器取り出し用開口１８０が蓋部材１２０により覆われないようにしている。
言い換えると、この構成例では、容器取り出し用開口１８０は、蓋部材１２０により覆われない箇所に設けられている。
なお、この構成例でも、図９と同様、容器取り出し用開口１８０を塞ぐ塞ぎ部材１８１の外表面の色と、蓋部材１２０の外表面の色とを異ならせてもよい。また、塞ぎ部材１８１の外表面の色と、容器本体１１０の外表面の色（容器本体１１０のうち、塞ぎ部材１８１が設けられている箇所以外に位置する部位の色）とを異ならせてもよい。
【００６２】
図１０に示すこの構成例では、備蓄品収容容器１の外部から、蓋部材１２０を開けずに、容器取り出し用開口１８０の存在が分かるようになり、第２収容容器２００が取り出し可能であることを、ユーザにより明確に知らせることが出来るようになる。
容器取り出し用開口１８０の存在が分かりやすいと、備蓄品収容容器１が部分的に交換可能であることを、ユーザに対してより明確に伝えられるようになる。
【００６３】
さらに、図１０に示すこの構成例では、蓋部材１２０を開けずに第２収容容器２００を取り出せるようになり、第１収容容器１００の交換作業や、第２収容容器２００の交換作業がより行いやすいものになる。
なお、図９にて示した構成例でも、背表紙側側面２０Ａの容器取り出し用開口１８５が、蓋部材１２０により覆われない構成となっており、この構成例でも、第２収容容器２００が取り出し可能であることを、ユーザにより明確に知らせることが出来るようになる。
【００６４】
また、容器取り出し用開口１８０を１つだけ形成するにあたっては、反対側側面２０Ｂ側でなく、背表紙側側面２０Ａに形成するようにしてもよい。
具体的には、例えば、図９にて表示されている容器取り出し用開口１８０は設けずに、図９にて示す、容器取り出し用開口１８５のみを設けるようにしてもよい。
【００６５】
また、備蓄品収容容器１は、図１１（備蓄品収容容器１の他の構成例を示した図）に示す構成としてもよい。
この構成例では、上記と同様、第１収容容器１００に、背表紙側壁部５０Ａ、反対側壁部５０Ｂ、第１接続壁部５０Ｃ、第２接続壁部５０Ｄが設けられている。
【００６６】
ここで、背表紙側壁部５０Ａと反対側壁部５０Ｂとは、互いに対向する関係で配置されている。また、背表紙側壁部５０Ａと反対側壁部５０Ｂとは、間隙をおいて配置されている。
さらに、この構成例では、背表紙側壁部５０Ａに、容器取り出し用開口１８０が設けられている。
【００６７】
さらに、この構成例では、第１収容容器１００に収容されている第２収容容器２００と、反対側壁部５０Ｂとの間に、第１収容容器１００内の備蓄品４０を収容する空間９００が形成されている。
この構成例では、第２収容容器２００を、上記にて示した第２収容容器２００よりも短寸とし、さらに、反対側壁部５０Ｂ側への第２収容容器２００の移動を規制することで、空間９００を形成している。
【００６８】
反対側壁部５０Ｂ側への第２収容容器２００の移動の規制は、仕切り部材５００により行っている。
仕切り部材５００には、上記と同様、容器本体１１０の底面５０Ｇに対して接触配置される板状の一対の接触部（第１接触部５３０、第２接触部５４０）が設けられている。
さらに、仕切り部材５００には、容器本体１１０の底面５０Ｇに対向して配置される対向部５５０が設けられている。
【００６９】
さらに、仕切り部材５００には、対向部５５０と第１接触部５３０とを接続する第１接続部５６０（図７と同様の第１接続部５６０）、対向部５５０と第２接触部５４０とを接続する第２接続部５７０が設けられている。
さらに、この構成例では、仕切り部材５００に、対向部５５０の端部（反対側壁部５０Ｂ側に位置する端部）から、下方（底面５０Ｇ）に向かって延びる規制部５９１が設けられている。
さらに、規制部５９１の下端部から反対側壁部５０Ｂ側へ延び且つ底面５０Ｇに対して接触配置される第３接触部５９３が設けられている。
【００７０】
さらに、この構成例では、第１接続部５６０の延長線上に、第１仕切り部５９６が設けられ、第２接続部５７０の延長線上に、第２仕切り部５９７が設けられている。
本実施形態では、この第１仕切り部５９６と第２仕切り部５９７との間に、空間９００が設けられている。
【００７１】
さらに、反対側壁部５０Ｂには、空間９００に収容された備蓄品４０の取り出しに用いられる取り出し用開口１９５が設けられている。さらに、取り出し用開口１９５を塞ぐ塞ぎ部材１９６が設けられている。
この構成例では、この塞ぎ部材１９６を開くことで、取り出し用開口１９５が現れ、この取り出し用開口１９５を通じて、備蓄品４０の取り出しを行える。
【００７２】
また、この構成例では、空間９００に収容される備蓄品４０が、円筒状の缶体となっている。
この缶体には、軸方向における一方に、環状に形成され且つ缶体の径方向における外側方向へ突出した一端部４１が設けられている。さらに、この缶体には、軸方向における他方に、同じく、環状に形成され且つ缶体の径方向における外側方向へ突出した他端部４２が設けられている。
【００７３】
さらに、この構成例では、第３接触部５９３に、２つの溝５９３Ａが形成されている。
この構成例では、一方の溝５９３Ａに、上記缶体の一端部４１がはめ込まれる。また、他方の溝５９３Ａに、缶体の他端部４２がはめ込まれる。
これにより、本実施形態では、空間９００内にて缶体が移動することが抑制される。
【００７４】
さらに、本実施形態では、水収容容器３００（図１１では不図示、図４参照）に沿って、第１仕切り部５９６、第２仕切り部５９７が配置される形となる。
これにより、水収容容器３００の移動が、第１仕切り部５９６、第２仕切り部５９７により規制される。
【００７５】
この構成例では、第２収容容器２００が反対側壁部５０Ｂ側へ移動しようとすると、規制部５９１によりこの移動が規制され、これにより、空間９００が確保される。
より具体的には、第２収容容器２００が反対側壁部５０Ｂ側へ移動しようとすると、仕切り部材５００が、反対側壁部５０Ｂ側へ移動しようとするが、この場合、第１仕切り部５９６、第２仕切り部５９７が、反対側壁部５０Ｂに突き当たる。
これにより、仕切り部材５００の移動が規制され、これに伴い、第２収容容器２００の移動が規制される。
【００７６】
なお、この構成例では、仕切り部材５００の一部を、反対側壁部５０Ｂに突き当てることで、仕切り部材５００の固定（反対側壁部５０Ｂ側へ向かおうとする仕切り部材５００の移動の規制）を行ったが、仕切り部材５００の固定は、他の形態により行ってもよい。
例えば、接着により、仕切り部材５００の固定を行ってもよい。また、例えば、仕切り部材５００の一部を、容器本体１１０に形成した穴などに差し込んで、仕切り部材５００の固定を行ってもよい。
【００７７】
また、図１１にて示した構成例では、反対側壁部５０Ｂ側に、空間９００がある構成を説明したが、第２収容容器２００を反対側壁部５０Ｂ側に配置し、背表紙側壁部５０Ａ側に、空間９００を設けるようにしてもよい。
【符号の説明】
【００７８】
１…備蓄品収容容器、２０Ｃ…上側側面、２０Ｄ…下側側面、２０Ｅ…右側面、２０Ｆ…左側面、４０…備蓄品、１００…第１収容容器、１１０Ａ…第１の内壁部、１１０Ｂ…第２の内壁部、１２０…蓋部材、１７０…備蓄品取り出し用開口、１８０…容器取り出し用開口、１８１…塞ぎ部材、１８５…容器取り出し用開口、２００…第２収容容器、３００…水収容容器、５００…仕切り部材
【図１】
2019018919.tif 000003
【図２】
2019018919.tif 000004
【図３】
2019018919.tif 000005
【図４】
2019018919.tif 000006
【図５】
2019018919.tif 000007
【図６】
2019018919.tif 000008
【図７】
2019018919.tif 000009
【図８】
2019018919.tif 000010
【図９】
2019018919.tif 000011
【図１０】
2019018919.tif 000012
【図１１】
2019018919.tif 000013